Podtech/llm-jp-corpus-v4-ja_patent huggingface dataset:
【手続補正書】
【提出日】平成25年6月10日(2013.6.10)
【手続補正１】
【補正対象書類名】特許請求の範囲
【補正対象項目名】全文
【補正方法】変更
【補正の内容】
【特許請求の範囲】
【請求項１】
遊技者が操作可能な遊技デバイスを制御する遊技デバイス制御手段を含む主制御部と、
前記主制御部から送信される遊技情報に基づいて演出を実行する副制御部と、
を備えた遊技台であって、
前記主制御部は、
内部当選役を決定する内部当選役決定手段と、
前記遊技デバイスを待機状態に制御する待機制御手段と、
前記待機状態に関する情報を含む遊技情報を前記副制御部に送信する送信手段と、
を備え、
前記副制御部は、
前記遊技情報に基づいて、実行する演出種別を設定する演出設定手段と、
設定された前記演出種別に従って演出制御を行う演出制御手段と、
を備え、
前記演出設定手段は、
前記待機状態に関する情報を受信した場合に、前記遊技デバイスの操作を示唆する示唆演出を実行可能な示唆演出実行手段、
を含み、
前記待機制御手段は、
前記待機状態の発生を許容する待機状態許容手段と、
前記遊技デバイスが所定の態様で操作された場合に、前記遊技デバイスを待機状態に制御する待機状態実行手段と、
を含んで構成されている、
ことを特徴とする遊技台。
【請求項２】
請求項１に記載の遊技台であって、
前記演出設定手段は、前記内部当選役に関する遊技情報に基づいて、複数遊技に渡って実行される連続演出の実行を決定する、
ことを特徴とする遊技台。
【請求項３】
請求項１または２に記載の遊技台であって、
前記所定の態様は、前記遊技デバイスが、一定期間内に、複数回操作されることである、
ことを特徴とする遊技台。
【手続補正２】
【補正対象書類名】明細書
【補正対象項目名】０００７
【補正方法】変更
【補正の内容】
【０００７】
上記目的を達成するために、本発明の遊技台は、遊技者が操作可能な遊技デバイスを制御する遊技デバイス制御手段を含む主制御部と、前記主制御部から送信される遊技情報に基づいて演出を実行する副制御部と、を備えた遊技台であって、前記主制御部は、内部当選役を決定する内部当選役決定手段と、前記遊技デバイスを待機状態に制御する待機制御手段と、前記待機状態に関する情報を含む遊技情報を前記副制御部に送信する送信手段と、を備え、前記副制御部は、前記遊技情報に基づいて、実行する演出種別を設定する演出設定手段と、設定された前記演出種別に従って演出制御を行う演出制御手段と、を備え、前記演出設定手段は、前記待機状態に関する情報を受信した場合に、前記遊技デバイスの操作を示唆する示唆演出を実行可能な示唆演出実行手段、を含み、前記待機制御手段は、前記待機状態の発生を許容する待機状態許容手段と、前記遊技デバイスが所定の態様で操作された場合に、前記遊技デバイスを待機状態に制御する待機状態実行手段と、を含んで構成されている、ことを特徴とする。
【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
所定の伝送端末のうち通話の開始要求元である要求元端末からの通話の開始要求を当該通話の開始要求先である所定の宛先端末へ伝えることで、前記要求元端末及び前記宛先端末の通話を管理する伝送管理システムであって、
前記要求元端末の識別情報毎に、当該要求元端末と通話可能な宛先候補である宛先端末の識別情報を関連付けることで、前記要求元端末の宛先候補を示す宛先リストを管理する宛先リスト管理手段と、
所定の伝送端末を宛先候補として追加要求する追加要求元としての要求元端末から、前記宛先候補の追加要求を受けると共に、前記要求元端末の識別情報及び前記宛先候補の追加要求先である要求先端末の識別情報を受信する受信手段と、
前記要求先端末に対して、前記追加要求を承認するか否かを要求するための承認要求を伝えると共に、前記要求元端末の識別情報を送信する送信手段とを有し、
前記受信手段は、前記追加要求に応じて前記要求先端末から追加要求応答を受け、
前記追加応答要求が承認する旨を示す場合、宛先リスト管理手段は、前記要求元端末の識別情報に、前記要求先端末の識別情報を前記宛先端末の識別情報として追加的に関連付けて管理すること
を特徴とする伝送管理システム。
【請求項２】
請求項１に記載の伝送管理システムであって、更に、
前記受信手段によって受信された前記要求元端末の識別情報及び前記要求先端末の識別情報を関連付けて管理する追加要求管理手段を有し、
前記追加要求応答が承認する旨を示す場合、前記宛先リスト管理手段は、前記追加要求管理手段で管理されている要求元端末の識別情報と同じ当該宛先リスト管理手段における要求元端末の識別情報に対して、前記追加要求管理手段で前記要求元端末の識別情報と関連付けて管理されている要求先端末の識別情報を前記宛先端末の識別情報として追加的に関連付けて管理することを特徴とする伝送管理システム。
【請求項３】
請求項１又は２に記載の伝送管理システムであって、更に、
所定の伝送端末の識別情報毎に、当該所定の伝送端末の稼動状態を示す稼動状態情報を関連付けて管理する端末管理手段を有し、
前記端末管理手段で管理されている稼動状態情報で示される稼動状態がオンラインであるが通話を開始していない場合、前記送信手段は、当該稼動状態の伝送端末である要求先端末に対して、前記追加要求を承認するか否かを要求するための承認要求を伝えると共に、前記要求元端末の識別情報を送信することを特徴とする伝送管理システム。
【請求項４】
前記宛先リスト管理手段によって追加的に管理される前に、前記要求元端末に前記宛先リストを送っていた場合、前記送信手段は、前記宛先リスト管理手段によって追加的に管理された宛先端末の識別情報のみを送信することを特徴とする請求項１乃至３の何れか一項に記載の伝送管理システム。
【請求項５】
前記伝送管理システムに、請求項１乃至４の何れか一項に記載の各手段を実現させることを特徴とするプログラム。
【請求項６】
前記伝送管理システムに、通信ネットワークを介して、請求項５に記載のプログラムを提供することを特徴とするプログラム提供システム。
【請求項７】
請求項１乃至４の何れか一項に記載の伝送管理システムのメンテナンスを行うことを特徴とするメンテナンスシステム。
【手続補正２】
【補正対象書類名】明細書
【補正対象項目名】０００５
【補正方法】変更
【補正の内容】
【０００５】
請求項１に係る発明は、所定の伝送端末のうち通話の開始要求元である要求元端末からの通話の開始要求を当該通話の開始要求先である所定の宛先端末へ伝えることで、前記要求元端末及び前記宛先端末の通話を管理する伝送管理システムであって、前記要求元端末の識別情報毎に、当該要求元端末と通話可能な宛先候補である宛先端末の識別情報を関連付けることで、前記要求元端末の宛先候補を示す宛先リストを管理する宛先リスト管理手段と、所定の伝送端末を宛先候補として追加要求する追加要求元としての要求元端末から、前記宛先候補の追加要求を受けると共に、前記要求元端末の識別情報及び前記宛先候補の追加要求先である要求先端末の識別情報を受信する受信手段と、前記要求先端末に対して、前記追加要求を承認するか否かを要求するための承認要求を伝えると共に、前記要求元端末の識別情報を送信する送信手段とを有し、前記受信手段は、前記追加要求に応じて前記要求先端末から追加要求応答を受け、前記追加応答要求が承認する旨を示す場合、宛先リスト管理手段は、前記要求元端末の識別情報に、前記要求先端末の識別情報を前記宛先端末の識別情報として追加的に関連付けて管理することを特徴とする伝送管理システムである。
【手続補正書】
【提出日】平成25年6月10日(2013.6.10)
【手続補正１】
【補正対象書類名】特許請求の範囲
【補正対象項目名】全文
【補正方法】変更
【補正の内容】
【特許請求の範囲】
【請求項１】
無線通信システムへアクセスする無線送受信ユニット（ＷＴＲＵ）において、
ランダムアクセスチャネル（ＲＡＣＨ）伝送を送信するのに使用されることになるサブチャネルを示しているＲＡＣＨ割り当て情報を受信するよう構成された受信機と、
第１の一定振幅ゼロ自己相関（ＣＡＺＡＣ）シーケンスの結合した位相およびサイクリックプレフィクスをＲＡＣＨ上でノードＢへ送信するよう構成された送信機と
を備え、
前記受信機は、前記ノードＢにおいて前記第１のＣＡＺＡＣシーケンスの前記位相が受信された共有チャネル上で、タイミングアドバンス（ＴＡ）を含む表示を受信するようにさらに構成され、
前記送信機は、適応変調および符号化を使用して、前記ＴＡに基づいた送信タイミングで、アクセスメッセージデータ、および、第２のＣＡＺＡＣシーケンスから引き出された参照シンボルを含んでいる信号を、前記ノードＢへ送信するようさらに構成されていること
を特徴とするＷＴＲＵ。
【請求項２】
前記第１のＣＡＺＡＣシーケンスの結合した位相および前記サイクリックプレフィクスは、複数のサブキャリア上で送信されることを特徴とする請求項１に記載のＷＴＲＵ。
【請求項３】
前記無線通信システムは、直交周波数分割多重（ＯＦＤＭ）を使用することを特徴とする請求項１に記載のＷＴＲＵ。
【請求項４】
前記無線通信システムは、直交周波数分割多重（ＯＦＤＭ）多入力多出力（ＭＩＭＯ）を使用することを特徴とする請求項１に記載のＷＴＲＵ。
【請求項５】
前記第１のＣＡＺＡＣシーケンスの結合した位相および前記サイクリックプレフィクスは、スロットで送信されることを特徴とする請求項１に記載のＷＴＲＵ。
【請求項６】
前記受信された前記第１のＣＡＺＡＣシーケンスの結合した位相および前記サイクリックプレフィクスは、他のＷＴＲＵからのデータまたは制御信号と周波数多重化されていることを特徴とする請求項１に記載のＷＴＲＵ。
【請求項７】
情報が、前記送信された第１のＣＡＺＡＣシーケンスおよびサイクリックプレフィクスによって運ばれることを特徴とする請求項１に記載のＷＴＲＵ。
【請求項８】
前記受信機は、複数のＲＡＣＨのためのＲＡＣＨ割り当て情報を受信するようさらに構成され、前記第１のＣＡＺＡＣシーケンスはランダムに選択され、前記ＲＡＣＨは前記複数のＲＡＣＨからランダムに選択されることを特徴とする請求項１に記載のＷＴＲＵ。
【請求項９】
無線通信システムにアクセスする方法において、
無線送受信ユニット（ＷＴＲＵ）において、ランダムアクセスチャネル（ＲＡＣＨ）伝送を送信するのに使用されることになるサブチャネルを示しているＲＡＣＨ割り当て情報を受信するステップと、
第１の一定振幅ゼロ自己相関（ＣＡＺＡＣ）シーケンスの結合した位相およびサイクリックプレフィクスを前記ＲＡＣＨ上でノードＢへ送信するステップと、
前記ＷＴＲＵにおいて、前記ノードＢによって前記第１のＣＡＺＡＣシーケンスの前記位相が受信された共有チャネル上で、タイミングアドバンス（ＴＡ）を含む表示を受信するステップと、
適応変調および符号化を使用して、前記ＴＡに基づいた送信タイミングで、アクセスメッセージデータ、および、第２のＣＡＺＡＣシーケンスから引き出された参照シンボルを含んでいる信号を、送信するステップと
を備えることを特徴とする方法。
【請求項１０】
前記第１のＣＡＺＡＣシーケンスの前記結合した位相および前記サイクリックプレフィクスは、複数のサブキャリア上で送信されることを特徴とする請求項９に記載の方法。
【請求項１１】
前記無線通信システムは、直交周波数分割多重（ＯＦＤＭ）を使用することを特徴とする請求項９に記載の方法。
【請求項１２】
前記無線通信システムは、直交周波数分割多重（ＯＦＤＭ）多入力多出力（ＭＩＭＯ）を使用することを特徴とする請求項９に記載の方法。
【請求項１３】
前記第１のＣＡＺＡＣシーケンスの結合した位相および前記サイクリックプレフィクスは、スロットで送信されることを特徴とする請求項９に記載の方法。
【請求項１４】
前記受信された前記第１のＣＡＺＡＣシーケンスの結合した位相および前記サイクリックプレフィクスは、他のＷＴＲＵからのデータまたは制御信号と周波数多重化されていることを特徴とする請求項９に記載の方法。
【請求項１５】
情報が、前記送信された第１のＣＡＺＡＣシーケンスおよびサイクリックプレフィクスによって運ばれることを特徴とする請求項９に記載の方法。
【請求項１６】
前記ＲＡＣＨ割り当て情報は、複数のＲＡＣＨのためのＲＡＣＨ割り当て情報を含み、前記第１のＣＡＺＡＣシーケンスはランダムに選択され、前記ＲＡＣＨは前記複数のＲＡＣＨからランダムに選択されることを特徴とする請求項９に記載の方法。
【請求項１７】
無線通信システムへアクセスする無線送受信ユニット（ＷＴＲＵ）において、
第１の一定振幅ゼロ自己相関（ＣＡＺＡＣ）シーケンスの結合した位相およびサイクリックプレフィクスを送信するのに使用されることになるサブチャネルを示しているランダムアクセスチャネル（ＲＡＣＨ）割り当て情報を受信するよう構成された受信機と、
第１の電力レベルで、前記第１の一定振幅ゼロ自己相関（ＣＡＺＡＣ）シーケンスの結合した位相およびサイクリックプレフィクスをＲＡＣＨ上でノードＢへ送信するよう構成された送信機と
を備え、
前記送信機は、前記送信された前記第１のＣＡＺＡＣシーケンスの結合した位相および前記第１のサイクリックプレフィクスが前記ノードＢによって受信されなかったという表示の条件で、前記第１の電力レベルよりも大きい第２の電力レベルで、前記ＣＡＺＡＣシーケンスの第２の結合した位相および第２のサイクリックプレフィクスを前記ノードＢへ送信するようにさらに構成され、
前記受信機は、前記ノードＢにおいて前記第２のＣＡＺＡＣシーケンスの前記位相が受信された共有チャネル上で、タイミングアドバンス（ＴＡ）を含む表示を受信するようにさらに構成され、
前記送信機は、適応変調および符号化を使用して、前記ＴＡに基づいた送信タイミングで、アクセスメッセージデータ、および、第３のＣＡＺＡＣシーケンスから引き出された参照シンボルを含んでいる信号を、前記ノードＢへ送信するようさらに構成されていること
を特徴とするＷＴＲＵ。
【手続補正書】
【提出日】平成25年7月19日(2013.7.19)
【手続補正１】
【補正対象書類名】特許請求の範囲
【補正対象項目名】全文
【補正方法】変更
【補正の内容】
【特許請求の範囲】
【請求項１】
複数のノード装置を含んだネットワークの中の、ノード装置において、
ひとつ以上の相手ノードから自ノードに宛てて送信され、フレーム識別情報、グローバル宛先アドレス、グローバル差出アドレスを含むフレームを受信する、フレーム受信手段と、
前記相手ノードと前記自ノードの双方向の通信品質に関する情報を含んだテーブルを格納する、第１の記憶手段と、
前記テーブルに基づいて、前記ひとつ以上の相手ノードの各々に関する優先度を示す評価値を定める、優先度判定手段と、
前記ひとつ以上の相手ノードのいずれかから前記自ノードに宛てて送られたグローバル宛先アドレスを含むデータフレームを、前記フレーム受信手段が受信し、前記グローバル宛先アドレスが前記自ノードアドレスでない場合、前記評価値を用いて、前記データフレームを前記ひとつ以上の相手ノードのうち前記データフレームを送信してきた相手ノード以外のもっとも優先度の高い相手ノードへ送信する、フレーム送信手段と
を含むことを特徴とするノード装置。
【請求項２】
前記フレーム送信手段が送信したデータフレームのフレーム識別情報、グローバル差出アドレス及びローカル宛先アドレスを格納する第２の記憶手段をさらに含み、
前記フレーム受信手段が受信したデータフレームのフレーム識別情報及びグローバル差出アドレスが前記第２の記憶手段に格納されている場合、
前記優先度判定手段は前記ローカル宛先アドレスに対応する前記相手ノードの優先度を示す評価値を最低に定める
ことを特徴する、請求項１記載のノード装置。
【請求項３】
前記フレーム受信手段が受信した、前記ひとつ以上の相手ノードから前記自ノードに宛てて送信されたハローフレームに基づいて、前記優先度判定手段が前記評価値を定める
ことを特徴とする、請求項１記載のノード装置。
【請求項４】
複数のノード装置を含んだネットワークの中の、ノード装置が実行する方法において、
ひとつ以上の相手ノードから自ノードに宛てて送信され、フレーム識別情報、グローバル宛先アドレス、グローバル差出アドレスを含むフレームを受信し、
前記相手ノードと前記自ノードの双方向の通信品質に関する情報を含んだテーブルを第１の記憶手段に格納し、
前記記憶手段に格納されたテーブルに基づいて、前記ひとつ以上の相手ノードの各々に関する優先度を示す評価値を定め、
前記ひとつ以上の相手ノードのいずれかから前記自ノードに宛てて送られたグローバル宛先アドレスを含むデータフレームを、前記フレーム受信手段が受信し、前記グローバル宛先アドレスが前記自ノードアドレスでない場合、前記評価値を用いて、前記データフレームを前記ひとつ以上の相手ノードのうち前記データフレームを送信してきた相手ノード以外のもっとも優先度の高い相手ノードへ送信する、
処理を含むことを特徴とする、ノード装置が実行する方法。
【請求項５】
複数のノード装置を含むネットワークの中の、ノード装置であるコンピュータに実行させるためのプログラムであって、
ひとつ以上の相手ノードから自ノードに宛てて送信され、フレーム識別情報、グローバル宛先アドレス、グローバル差出アドレスを含むフレームを受信し、
前記相手ノードと前記自ノードの双方向の通信品質に関する情報を含んだテーブルを第１の記憶手段に格納し、
前記記憶手段に格納されたテーブルに基づいて、前記ひとつ以上の相手ノードの各々に関する優先度を示す評価値を定め、
前記ひとつ以上の相手ノードのいずれかから前記自ノードに宛てて送られたグローバル宛先アドレスを含むデータフレームを、前記フレーム受信手段が受信し、前記グローバル宛先アドレスが前記自ノードアドレスでない場合、前記評価値を用いて、前記データフレームを前記ひとつ以上の相手ノードのうち前記データフレームを送信してきた相手ノード以外のもっとも優先度の高い相手ノードへ送信する、
処理をコンピュータに実行させるためのプログラム。
【請求項６】
複数のノード装置が含まれるネットワークにおけるノード装置の制御方法であって、
自ノード装置と複数の他ノード装置との通信品質に関する情報を記憶した記憶手段に格納された複数の他ノード装置の各々の通信品質に応じて、前記自ノード装置の通信先の他ノード装置を決定する際の優先度を算出し、
複数の他ノード装置のいずれかから前記自ノード装置に宛てて送られたグローバル宛先アドレスを含むデータフレームを受信すると、前記グローバル宛先アドレスが前記自ノード装置に対応するアドレスではない場合、該データフレームを送信したノード装置を除き、前記複数の他ノード装置の中から前記優先度に応じて、前記データフレームを送信する先のノード装置を決定する
ことを特徴とするノード装置の制御方法。
【請求項７】
前記データフレームはデータフレームを識別するフレーム識別情報が含まれており、
送信するデータフレームに関連付けて該データフレームに含まれる次の通信先のノード装置のアドレス情報を記憶し、
受信したデータフレームのフレーム識別情報が過去に受信したフレーム識別情報と合致する場合、記憶された前記次の通信先のノード装置以外を該データフレームを送信する先のノード装置の対象にする
ことを特徴する、請求項６記載のノード装置の制御方法。
【手続補正書】
【提出日】平成25年8月27日(2013.8.27)
【手続補正１】
【補正対象書類名】特許請求の範囲
【補正対象項目名】全文
【補正方法】変更
【補正の内容】
【特許請求の範囲】
【請求項１】
リアルタイムメディアパケットを保護する方法であって、
リアルタイムのオーディオ及びビデオデータを表すメディアパケットを受信し、
前記メディアパケットを並び替え、複数の列及び複数の行の２次元行列を形成し、
前記メディアパケットからメディアビット列を生成し、
前記生成されたメディアビット列のそれぞれの終端で、前記生成されたメディアビット列のそれぞれを最も近い倍数のシンボルにパディングし、
それぞれパディングされたビット列が最も長いビット列の長さを有するように、以前にパディングされたビット列の終端で更にパディングし、
前記生成及びパディングされたメディアビット列を通じて前方誤り訂正符号を適用し、複数の前方誤り訂正ビット列を生成し、
前記前方誤り訂正ビット列から前方誤り訂正データを生成し、
生成された前方誤り訂正パケットを送信し、ただし、前記前方誤り訂正パケットは、インターネットプロトコルネットワークで前記前方誤り訂正パケットの生成の基礎となる前記メディアパケットの前記２次元行列の列のインデックスを表す次元により分離され、
前記インターネットプロトコルネットワークで前記メディアパケットを送信することを有する方法。
【請求項２】
前記メディアビット列のそれぞれは、リアルタイムトランスポートプロトコル・ヘッダ、ペイロードの長さ及び前記メディアパケットのそれぞれのペイロードからの一式のフィールドを順に連結することにより生成され、
更に、前記一式のフィールド及び前記順は、マーカービット、ペイロード形式、タイムスタンプ、メディアペイロードの長さの表示及び前記メディアペイロードを有する、請求項１に記載の方法。
【請求項３】
前記生成された前方誤り訂正ビット列のそれぞれは、前方誤り訂正パケットヘッダを埋めるために使用される、請求項１に記載の方法。
【請求項４】
前記前方誤り訂正パケットのインデックスの所定数の下位ビットを前記前方誤り訂正パケットヘッダの第１のインデックスフィールドに挿入し、
前記前方誤り訂正パケットのインデックスの所定数の上位ビットを前記前方誤り訂正パケットヘッダの第２のインデックスフィールドに挿入し、
前記前方誤り訂正パケットヘッダの総数を前方誤り訂正ブロックの前方誤り訂正パケット及びメディアパケットの総数を示す所定数に設定することを更に有する、請求項３に記載の方法。
【請求項５】
リアルタイムメディアパケットを保護する装置であって、
リアルタイムのオーディオ及びビデオデータを表すメディアパケットを受信する手段と、
前記メディアパケットを並び替え、複数の列及び複数の行の２次元行列を形成する手段と、
前記メディアパケットからメディアビット列を生成する手段と、
前記生成されたメディアビット列のそれぞれの終端で、前記生成されたメディアビット列のそれぞれを最も近い倍数のシンボルにパディングする手段と、
それぞれパディングされたビット列が最も長いビット列の長さを有するように、以前にパディングされたビット列の終端で更にパディングする手段と、
前記生成及びパディングされたメディアビット列を通じて前方誤り訂正符号を適用し、複数の前方誤り訂正ビット列を生成する手段と、
前記前方誤り訂正ビット列から前方誤り訂正データを生成する手段と、
生成された前方誤り訂正パケットを送信する手段であり、前記前方誤り訂正パケットは、インターネットプロトコルネットワークで前記前方誤り訂正パケットの生成の基礎となる前記メディアパケットの前記２次元行列の列のインデックスを表す次元により分離される手段と、
前記インターネットプロトコルネットワークで前記メディアパケットを送信する手段と
を有する装置。
【請求項６】
前記メディアビット列のそれぞれは、リアルタイムトランスポートプロトコル・ヘッダ、ペイロードの長さ及び前記メディアパケットのそれぞれのペイロードからの一式のフィールドを順に連結することにより生成され、
更に、前記一式のフィールド及び前記順は、マーカービット、ペイロード形式、タイムスタンプ、メディアペイロードの長さの表示及び前記メディアペイロードを有する、請求項５に記載の装置。
【請求項７】
前記生成された前方誤り訂正ビット列のそれぞれは、前方誤り訂正パケットヘッダを埋めるために使用される、請求項５に記載の装置。
【請求項８】
前記前方誤り訂正パケットのインデックスの所定数の下位ビットを前記前方誤り訂正パケットヘッダの第１のインデックスフィールドに挿入する手段と、
前記前方誤り訂正パケットのインデックスの所定数の上位ビットを前記前方誤り訂正パケットヘッダの第２のインデックスフィールドに挿入する手段と、
前記前方誤り訂正パケットヘッダの総数を前方誤り訂正ブロックの前方誤り訂正パケット及びメディアパケットの総数を示す所定数に設定する手段と
を更に有する、請求項５に記載の装置。
【請求項９】
リアルタイムメディアパケットの損失から回復する方法であって、
受信したメディアパケットを並び替え、受信したメディアパケットの複数の列及び複数の行の２次元行列を形成し、
受信して並び替えられたメディアパケットからメディアビット列を形成し、
受信した前方誤り訂正パケットから前方誤り訂正ビット列を形成し、
前記メディアビット列を前記前方誤り訂正ビット列の長さにパディングし、
前記パディングされたメディアビット列及び前記前方誤り訂正ビット列を復号化し、回復したメディアビット列を取得し、
前記回復したメディアビット列から回復したメディアパケットを生成することを有する方法。
【請求項１０】
前記メディアビット列の終端で、前記メディアビット列を前記前方誤り訂正ビット列の長さにパディングしたものを除去することを更に有する、請求項９に記載の方法。
【請求項１１】
リアルタイムメディアパケットの損失から回復する装置であって、
受信したメディアパケットを並び替え、受信したメディアパケットの複数の列及び複数の行の２次元行列を形成する手段と、
受信して並び替えられたメディアパケットからメディアビット列を形成する手段と、
受信した前方誤り訂正パケットから前方誤り訂正ビット列を形成する手段と、
前記メディアビット列を前記前方誤り訂正ビット列の長さにパディングする手段と、
前記パディングされたメディアビット列及び前記前方誤り訂正ビット列を復号化し、回復したメディアビット列を取得する手段と、
前記回復したメディアビット列から回復したメディアパケットを生成する手段と
を有する装置。
【請求項１２】
前記メディアビット列の終端で、前記メディアビット列を前記前方誤り訂正ビット列の長さにパディングしたものを除去する手段を更に有する、請求項１１に記載の装置。
【手続補正書】
【提出日】平成25年6月13日(2013.6.13)
【手続補正１】
【補正対象書類名】明細書
【補正対象項目名】００１０
【補正方法】削除
【補正の内容】
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】変更
【補正の内容】
【００１２】
本発明によれば、中央部の厚さが周縁部の厚さよりも大きくなるように、その一面及び他面にその周方向に段差が形成された水晶片と、
その水晶片の中央部の一面及び他面に各々設けられた当該中央部を励振させるための励振電極と、
各励振電極から前記水晶片の一面側の周縁部に引き出されるように形成された、導電性接着材を介して水晶片支持部材の電極に固着される引き出し電極と、
を備え、
前記引き出し電極及び励振電極はスパッタまたは蒸着により形成され、その引き出し電極の表面を荒らすために、前記一面側の周縁部における表面が当該一面側の前記中央部の表面よりも荒れていることを特徴とする。
【手続補正４】
【補正対象書類名】明細書
【補正対象項目名】００１５
【補正方法】変更
【補正の内容】
【００１５】
本発明によれば、前記水晶片の一面側の前記周縁部における表面が一面側の前記中央部の表面よりもその荒く形成され、そして水晶片の表面に引き出し電極及び励振電極をスパッタまたは蒸着により形成している。従って水晶片の荒さが引き出し電極の表面に転写され、引き出し電極の表面の荒れを大きくすることができる。結果として、接着材が引き出し電極から励振電極に流れ出したり、引き出し電極間で導電性接着材による短絡が起きることが抑えられる。
【手続補正書】
【提出日】平成23年11月25日(2011.11.25)
【手続補正１】
【補正対象書類名】特許請求の範囲
【補正対象項目名】全文
【補正方法】変更
【補正の内容】
【特許請求の範囲】
【請求項１】
ポリマー材料の少なくとも２つの多孔質層を含む、多層ミクロ多孔質ポリマー膜であって、前記膜がレース状開放細孔を有し、前記層が一体の多孔質バルクマトリックスを形成し、そして各層のポリマー材料がポリエチレン、超高分子量ポリエチレン（ＵＨＭＷ−ＰＥ）、ポリプロピレン、アルキルはプロピル、メチルまたはこれらの混合物であるポリ（テトラフルオロエチレン−コ−ペルフルオロアルキルビニルエーテル）（ＰＦＡ）、ポリ（テトラフルオロエチレン−コ−ヘキサフルオロプロピレン）（ＦＥＰ）、およびこれらの混合物からなる群から独立に選択され、ミクロ多孔質膜の少なくとも２つの層が異なる平均細孔寸法を有する、多層ミクロ多孔質ポリマー膜。
【手続補正書】
【提出日】平成25年3月6日(2013.3.6)
【手続補正１】
【補正対象書類名】特許請求の範囲
【補正対象項目名】全文
【補正方法】変更
【補正の内容】
【特許請求の範囲】
【請求項１】
列車の在線位置または前記列車の進路を定めるための地上設備の状態に応じて前記列車の進路を制御する列車進路制御装置において行われる列車進路制御方法であって、
設備情報入力部が、線区内の線形を分割した区間ごとに、前記地上設備の状態に関する情報である設備状態情報を前記地上設備から受け取り、または前記列車の在線位置を示す位置情報を前記列車から受け取る設備情報入力ステップと、
状態管理部が、前記設備情報入力ステップにおいて受け取った前記設備状態情報または前記位置情報に基づいて、前記区間の状態を、前記区間ごとに設定する状態管理ステップと、
進路決定部が、前記区間に隣接する区間が複数存在する区間である競合区間のそれぞれについて、前記状態管理部が設定した前記区間の状態を比較することにより、優先させる前記列車の進路を決定する進路決定ステップと、を含み、
前記区間の状態は、前記地上設備が手動制御状態にある不活性状態と、前記地上設備が自動制御状態にある基底状態と、前記地上設備が自動制御状態であって前記列車が在線している活性化状態と、の三つの状態を含む、
ことを特徴とする列車進路制御方法。
【請求項２】
請求項１に記載の列車進路制御方法であって、前記線区内の線形は、一台の信号機とその第一内方軌道回路から最終内方軌道回路までの閉塞区間に分割されたものであることを特徴とする列車進路制御方法。
【請求項３】
請求項１又は２に記載の列車進路制御方法であって、前記閉塞区間に設置されている信号機は出発信号機または閉塞信号機であって、前記閉塞区間の活性化状態として第一内方軌道回路を列車が走行している進入中の状態と、最終内方軌道回路を列車が走行している収容中の状態と、最終内方軌道回路に列車が停車している停車中の状態と、最終内方軌道回路を列車が通過している進出中の状態と、を含むことを特徴とする列車進路制御方法。
【請求項４】
請求項１又は２に記載の列車進路制御方法であって、前記閉塞区間に設置されている信号機は入場信号機であって、前記閉塞区間の活性化状態として第一内方軌道回路を列車が走行している進入中の状態と、最終内方軌道回路を列車が走行している収容中の状態と、最終内方軌道回路に列車が停車し且つ乗客が乗降している乗客乗降中の状態と、最終内方軌道回路に列車が停車し且つ乗客乗降が完了している停車中の状態と、最終内方軌道回路を列車が通過している進出中の状態と、を含むことを特徴とする列車進路制御方法。
【請求項５】
請求項１に記載の列車進路制御方法であって、前記区間の状態には優先度を有し、前記進路決定ステップにおいて、前記列車の進路が競合している区間に対して前記優先度を比較して優先する列車を決定することを特徴とする列車進路制御方法。
【請求項６】
請求項３、請求項４又は請求項５のいずれか一つに記載の列車進路制御方法であって、前記閉塞区間の状態は優先度を有し、前記進路決定ステップにおいて、前記優先度は進入中、収容中および乗客乗降中および停車中、進出中の順番で高優先とすることを特徴とする列車進路制御方法。
【請求項７】
請求項６に記載の列車進路制御方法であって、前記進路決定ステップにおいて、比較する前記区間の状態が互いに収容中であっても、何れか一つの前記区間に駅通過列車が走行中の場合には、駅通過列車を有する前記区間が優先されることを特徴とする列車進路制御方法。
【請求項８】
請求項６に記載の列車進路制御方法であって、比較する前記区間の状態が収容中と乗客乗降中であって、収容中の前記区間を走行している列車が駅通過列車の場合には、収容中の状態を有する前記区間が優先され、収容中の前記区間を走行している列車が駅停車列車の場合には、乗客乗降中の状態を有する前記区間が優先されることを特徴とする列車進路制御方法。
【請求項９】
請求項６に記載の列車進路制御方法であって、比較する前記区間の状態が停車中と乗客乗降中の場合には、停車中の状態を有する前記区間が優先されることを特徴とする列車進路制御方法。
【請求項１０】
列車の在線位置または前記列車の進路を定めるための地上設備の状態に応じて前記列車の進路を制御する列車進路制御装置であって、
線区内の線形を分割した区間ごとに、前記地上設備の状態に関する情報である設備状態情報を前記地上設備から受け取り、または前記列車の在線位置を示す位置情報を前記列車から受け取る設備情報入力部と、
前記設備情報入力部が受け取った前記設備状態情報または前記位置情報に基づいて、前記区間の状態を、前記区間ごとに設定する状態管理部と、
前記区間に隣接する区間が複数存在する区間である競合区間のそれぞれについて、前記状態管理部が設定した前記区間の状態を比較することにより、優先させる前記列車の進路を決定する進路決定部と、を備え、
前記区間の状態は、前記地上設備が手動制御状態にある不活性状態と、前記地上設備が自動制御状態にある基底状態と、前記地上設備が自動制御状態であって前記列車が在線している活性化状態と、の三つの状態を含む、
ことを特徴とする列車進路制御装置。
【請求項１１】
コンピュータに、
線区内の線形を分割した区間ごとに、列車の進路を定めるための地上設備の状態に関する情報である設備状態情報を前記地上設備から受け取り、または列車の在線位置を示す位置情報を前記列車から受け取る設備情報入力ステップと、
前記設備情報入力ステップにおいて受け取った前記設備状態情報または前記位置情報に基づいて、前記区間の状態を、前記区間ごとに設定する状態管理ステップと、
前記区間に隣接する区間が複数存在する区間である競合区間のそれぞれについて、前記状態管理部ステップにおいて設定された前記区間の状態を比較することにより、優先させる前記列車の進路を決定する進路決定ステップと、
を実行させ、
前記区間の状態は、前記地上設備が手動制御状態にある不活性状態と、前記地上設備が自動制御状態にある基底状態と、前記地上設備が自動制御状態であって前記列車が在線している活性化状態と、の三つの状態を含む、
ことを特徴とする列車進路制御プログラム。
【手続補正書】
【提出日】平成25年1月22日(2013.1.22)
【手続補正１】
【補正対象書類名】特許請求の範囲
【補正対象項目名】全文
【補正方法】変更
【補正の内容】
【特許請求の範囲】
【請求項１】
加熱装置（１７）を有しその加熱装置（１７）によって加熱された飲料水を貯留する温水タンク（１３）を備え、前記温水タンク（１３）に導水管（２０）が接続されており、前記導水管（２０）を通じて供給源からの飲料水が前記温水タンク（１３）に導かれるようになっており、前記温水タンク（１３）から送水管（１４）が引き出され、その送水管（１４）に開閉自在の供給バルブ（１５）が設けられた飲料水用サーバーにおいて、
前記導水管（２０）は、前記供給源への接続管部（２０ａ）から前記温水タンク（１３）へ通じる第一導水管部（２１）を備え、前記温水タンク（１３）の上部に上方へ立ち上がる排出管（３１）が接続され、その排出管（３１）は、前記温水タンク（１３）内の飲料水が加熱により膨張した際に、その膨張原因である加熱気化空気（ａ）が入り込むことで内圧が上昇することを抑制する機能を有し、且つ、前記温水タンク（１３）内の空気を外部へ排出する機能を有し、
前記導水管（２０）は並列する２つの通路（２０ａ，１０ａ）を有し、各通路（２０ａ，１０ａ）の一端は前記容器（１）内に開放され、一方の通路（２０ａ）の他端は前記温水タンク（１３）へ通じる前記第一導水管部（２１）に接続され、他方の通路（１０ａ）の他端は前記一方の通路（２０ａ）から分岐して前記容器（１）内へ空気（ａ）を導入する機能を有する導入装置（１０）に接続され、前記温水タンク（１３）の上部には、前記２つの通路（２０ａ，１０ａ）の分岐部より上方の位置で前記温水タンク（１３）より上方へ立ち上がる前記排出管（３１）が接続され、前記導入装置（１０）は前記分岐部より上方で大気開放された構造を有することを特徴とする飲料水用サーバー。
【請求項２】
常温の又は冷却した飲料水を貯留する貯水タンク（３）と、加熱装置（１７）を有しその加熱装置（１７）によって加熱された飲料水を貯留する温水タンク（１３）とを備え、前記貯水タンク（３）及び前記温水タンク（１３）に導水管（２０）が接続されており、その導水管（２０）を通じて供給源からの飲料水が前記貯水タンク（３）及び前記温水タンク（１３）に導かれるようになっており、前記貯水タンク（３）及び前記温水タンク（１３）からそれぞれ送水管（４，１４）が引き出され、その各送水管（４，１４）に開閉自在の供給バルブ（５，１５）が設けられた飲料水用サーバーにおいて、
前記導水管（２０）は、前記供給源への接続管部（２０ａ）から前記温水タンク（１３）へ通じる第一導水管部（２１）と、前記供給源への接続管部（２０ａ）から前記貯水タンク（３）へ通じる第二導水管部（２２）とを備え、前記温水タンク（１３）の上部に上方へ立ち上がる排出管（３１）が接続され、その排出管（３１）は、前記温水タンク（１３）内の飲料水が加熱により膨張した際に、その膨張原因である加熱気化空気（ａ）が入り込むことで内圧が上昇することを抑制する機能を有し、且つ、前記温水タンク（１３）内の空気を外部へ排出する機能を有し、
前記導水管（２０）は並列する２つの通路（２０ａ，１０ａ）を有し、各通路（２０ａ，１０ａ）の一端は前記容器（１）内に開放され、一方の通路（２０ａ）の他端は前記温水タンク（１３）へ通じる前記第一導水管部（２１）に接続され、他方の通路（１０ａ）の他端は前記一方の通路（２０ａ）から分岐して前記容器（１）内へ空気（ａ）を導入する機能を有する導入装置（１０）に接続され、前記温水タンク（１３）の上部には、前記２つの通路（２０ａ，１０ａ）の分岐部より上方の位置で前記温水タンク（１３）より上方へ立ち上がる前記排出管（３１）が接続され、前記導入装置（１０）は前記分岐部より上方で大気開放された構造を有することを特徴とする飲料水用サーバー。
【請求項３】
前記排出管（３１）は、その排出管（３１）内の蒸気を冷却する機能を有する液化槽（３２）を備えることを特徴とする請求項１又は２に記載の飲料水用サーバー。
【請求項４】
前記温水タンク（１３）内の空間の上端は、前記分岐部より上方に位置することを特徴とする請求項１乃至３のいずれか一つに記載の飲料水用サーバー。
【請求項５】
前記排出管（３１）は、前記分岐部よりも上方に位置する場所で、前記温水タンク（１３）から引き出されていることを特徴とする請求項４に記載の飲料水用サーバー。
【請求項６】
前記排出管（３１）は、前記容器（１）よりも上方に伸び、その後に前記分岐部より下方で大気開放されることを特徴とする請求項１乃至５のいずれか一つに記載の飲料水用サーバー。
【誤訳訂正書】
【提出日】平成25年7月8日(2013.7.8)
【誤訳訂正１】
【訂正対象書類名】特許請求の範囲
【訂正対象項目名】全文
【訂正方法】変更
【訂正の内容】
【特許請求の範囲】
【請求項１】
患者の組織の損傷又は異常を、非侵襲的に評価するシステムであって、
患者における関心領域のＭＲＩ画像スライスのボクセルに基づくグローバル特性が、無作為であり、グローバルな損傷、グローバルな異常組織、又は自然組織内において正常な比率で見つけられない物質の異常な蓄積を検出するための、患者における三次元の関心領域のＭＲＩ画像のボクセルを解析する回路であって、（ｉ）自動相関指標（Ｉ）を適用することによって、前記三次元の関心領域の各々の画像のスライスにおけるピクセル／ボクセル強度のパターン間の関係を決定し、該パターンがクラスターしているか、分布しているかを評価し、（ｉｉ）前記自動相関指標（Ｉ）を用いて前記関心領域のボクセルの特性が、分布パターン、又はクラスターパターンであるかを決めるように構成されている回路と、
解析結果の出力を表示するディスプレイと、
を備える患者の組織の損傷又は異常を、非侵襲的に評価するシステム。
【請求項２】
前記関心領域が心臓であり、前記回路が、グローバルな心損傷又は疾患を特定するために、ヒストグラムを解析する請求項１のシステム。
【請求項３】
前記回路が、前記ＭＲＩ画像のスライスにおける各々のボクセルの信号強度及び位置座標を特定する請求項１のシステム。
【請求項４】
前記関心領域が心臓であり、前記ＭＲＩ画像のスライスが潅流イメージングであって、血中酸素濃度依存（ＢＯＬＤ）心臓イメージングを使用して得られたものである請求項１のシステム。
【請求項５】
患者の組織の損傷を、非侵襲的に判別するワークステーションであって、
患者におけるＭＲＩ心臓画像のスライスを解析する回路であって、自動相関指標（Ｉ）を用いて、前記関心領域の三次元の細胞空間内のピクセルパラメータのパターン間の関係を決定し、該パターンがクラスターしているか、無作為に分布しているかを評価し、グローバルな心臓の損傷を判別できるように構成された回路を備えた患者の組織の損傷を、非侵襲的に判別するワークステーション。
【請求項６】
前記回路が、前記ＭＲＩ心臓画像スライスのピクセル及び／又はピクセルの特性のヒストグラムの形状を解析することができるように構成されている請求項５のワークステーション。
【請求項７】
前記特性が、強度、色、飽和状態及び／又は複数のピクセル及び／若しくはボクセルのコントラスト比を含む相対的な特性である請求項５のワークステーション。
【請求項８】
前記回路が、前記ヒストグラムを、特定の傷害、疾病及び／又は健康状態の特性であるヒストグラムプロファイルのライブラリに対してパターンマッチングするように構成されている請求項６のワークステーション。
【請求項９】
前記パターンが、心筋症、水腫、線維症、及び組織特性に検出される変化と関連している請求項５のワークステーション。
【請求項１０】
前記関心領域（ＲＯＩ）が患者の左心室であり、前記ボクセルの特性として強度を評価し、第1の画像の心臓画像スライスの前記ＲＯＩ及び前記第1の画像の後に得られた第２の画像の対応するＲＯＩにおいて、ピクセル／ボクセルの関連するｘ、ｙ、及びｚ座標を決定するように前記回路が構成され、さらに左心室心筋における強度のボクセル又はピクセルのパターンがクラスターというよりも分布しているということを決定することが可能であり、細胞毒化学療法から続発する心筋損傷がＬＶＥＦの降下と関連することを予測するように、前記回路が構成されている請求項５のワークステーション。
【請求項１１】
前記パターンが、パターンクラスタリングであるか、無作為な分布であるかを評価するために、自動相関指標（Ｉ）が大きい場合にパターンクラスタリングを示し、（Ｉ）が小さい場合、より無作為に分布するパターンを示すようにしてなる請求項１〜４のいずれかのシステム。
【請求項１２】
前記パターンが、パターンクラスタリングであるか、無作為な分布であるかを評価するために、自動相関使用（Ｉ）が大きい場合にパターンクラスタリングを示し、（Ｉ）が小さい場合、より無作為に分布するパターンを示すようにしてなる請求項５〜１０のいずれかのワークステーション。
【誤訳訂正２】
【訂正対象書類名】明細書
【訂正対象項目名】０００７
【訂正方法】変更
【訂正の内容】
【０００７】
ＭＲＩを用いると、心内構造物を画像化することができるとともに、高い時間解像度及び空間解像度をもってＬＶ機能を直接に評価することができる。音響窓は画像取得を制限しないため、ＭＲＩの有用性は、特に大きい或いは異常な体形を持つ被検者において高い。このような画像の高い透明度により、治験担当医師は、ＬＶ構造及び機能の定量的な測定を、放射性核種技術及び超音波技術を用いて達成される測定よりも高い精度で行なうことができる。ＬＶ機能が低下した患者においては、並行調査形態で１グループ当たり５人の患者からなるサンプルサイズを用いると、０．０５のｐ値において９０％パワーで５％のＬＶＥＦ変化を検出することができる。オペレータの経験に応じて、ＬＶＥＦが同じ５％変化するには、同じ調査形態において、１グループ当たり１００人を超える被検者の心エコー検査評価が必要である。同様に、遅延エンハンスメントＭＲＩ技術を用いて達成される高い空間解像度（１ｍｍ2ピクセルサイズ）により、今までは血清サンプルで検出される心筋酵素上昇として単に認識される場合があり放射性核種技術または心エコー技術を用いて視覚化されなかった微小梗塞を検出することができる。 
【誤訳訂正３】
【訂正対象書類名】明細書
【訂正対象項目名】００２８
【訂正方法】変更
【訂正の内容】
【００２８】
本明細書で使用される用語「グローバルな損傷」とは、実質的に無作為に分布するパターン及び／又は損傷を検出するために解析される画像の解像度では判別できないパターンをなす組織組成及び／又は機能の変化のことをいう。したがって、例えば、「グローバルな心外傷」とは、心外傷及び／又は自然な心筋組織が、実質的に無作為に分布するパターン及び／又は損傷を検出するために解析される画像の解像度では判別できないパターンをなす壊死及び／又は線維症をもたらす例えば瘢痕組織等の線維組織に置き換えられたものをいう。本発明の実施形態に係る強度解析によって検出されてもよいグローバルな心外傷としては、例えば、ウイルス性心筋症、アルコール性心筋症、分娩後心筋症及び／又は特発性拡張型心筋症を挙げることができる。また、グローバルな損傷は、水腫（余分な流体）や線維症（瘢痕組織）などの不釣合いな量の他の異常体を含んでもよい。したがって、本発明の実施形態は、グローバルな異常組織の検出を行なってもよい。
【手続補正書】
【提出日】平成25年9月24日(2013.9.24)
【手続補正１】
【補正対象書類名】特許請求の範囲
【補正対象項目名】全文
【補正方法】変更
【補正の内容】
【特許請求の範囲】
【請求項１】
ブラックインクを含む複数色のインクを、印刷データに基づいて記録媒体へ向けて吐出可能な複数のノズルを有するヘッドを備え、前記複数のノズルの内、前記ブラックインクを吐出するノズルが正常な吐出のできない不良ノズルであることを検出した場合、当該不良ノズルを補完して印刷を実行する印刷装置の制御方法であって、
前記不良ノズルが吐出すべき記録媒体上の吐出領域へ向けて、前記複数色のインクのうち、前記ブラックインク以外の少なくとも１色のインクを前記ヘッドに吐出させ、
前記少なくとも１色のインクの吐出量を、前記不良ノズルが吐出すべき吐出量に基づいて設定する、制御方法。
【請求項２】
前記複数色のインクは、シアンインク、マゼンタインクおよびイエローインクを含み、
前記不良ノズルが吐出すべき記録媒体上の吐出領域へ向けて、前記シアンインク、前記マゼンタインク、および前記イエローインクの各々を前記ヘッドに吐出させ、
前記シアンインク、前記マゼンタインク、および前記イエローインクの各吐出量を、前記不良ノズルが吐出すべき吐出量に基づいて設定する、請求項１に記載の制御方法。
【請求項３】
前記記録媒体へ向けて前記ブラックインクを前記不良ノズルに吐出させる第１データが前記印刷データに含まれているかを判定し、
所定の吐出量の前記ブラックインクを前記記録媒体へ向けて前記不良ノズルから吐出させるデータが、前記第１データとして前記印刷データに含まれていると判定された場合、前記不良ノズルに対応する記録媒体上の吐出領域へ向けて、前記シアンインク、前記マゼンタインク、および前記イエローインクの各々について、前記所定の吐出量より少ない吐出量を少なくとも１回、前記ヘッドに吐出させる、請求項２に記載の制御方法。
【請求項４】
前記所定の吐出量より少ない吐出量の前記ブラックインクを前記不良ノズルから吐出させるデータが、前記第１データとして前記印刷データに含まれていると判定された場合、前記吐出領域へ向けて前記シアンインク、前記マゼンタインク、および前記イエローインクの各々について、前記所定の吐出量より少ない吐出量を少なくとも１回、前記ヘッドに吐出させる、請求項３に記載の制御方法。
【請求項５】
前記第１データが前記印刷データに含まれていると判定された場合、前記第１データをキャンセルする、請求項３に記載の制御方法。
【請求項６】
前記シアンインク、前記マゼンタインク、および前記イエローインクを、前記吐出領域へ向けて前記印刷ヘッドに吐出させるデータが、前記印刷データに含まれていると判定された場合、前記第１データをキャンセルする、請求項３に記載の制御方法。
【請求項７】
前記所定の吐出量より少ない吐出量の前記シアンインク、前記マゼンタインク、および前記イエローインクを、前記吐出領域へ向けて前記ヘッドに吐出させるデータが、前記印刷データに含まれていると判定された場合、前記第１データをキャンセルする、請求項６に記載の制御方法。
【請求項８】
ブラックインクを含む複数色のインクを吐出可能な複数のノズルを有するヘッドと、
前記複数色のインクの各々を、印刷データに基づいて、記録媒体へ向けて前記ヘッドに選択的に吐出させる制御部とを備え、
前記制御部は、
前記複数のノズルの内、前記ブラックインクを吐出するノズルが正常な吐出のできない不良ノズルであることを検出した場合、前記不良ノズルが吐出すべき記録媒体上の吐出領域へ向けて、前記複数色のインクのうち、前記ブラックインク以外の少なくとも１色のインクを前記ヘッドに吐出させ、
前記少なくとも１色のインクの吐出量を、前記不良ノズルが吐出すべき吐出量に基づいて設定する、印刷装置。
【請求項９】
前記複数色のインクは、シアンインク、マゼンタインクおよびイエローインクを含み、
前記制御部は、
前記不良ノズルが吐出すべき記録媒体上の吐出領域へ向けて、前記シアンインク、前記マゼンタインク、および前記イエローインクの各々を前記ヘッドに吐出させ、
前記シアンインク、前記マゼンタインク、および前記イエローインクの各吐出量を、前記不良ノズルが吐出すべき吐出量に基づいて設定する、請求項８に記載の印刷装置。
【請求項１０】
前記制御部は、
前記記録媒体へ向けて前記ブラックインクを前記不良ノズルに吐出させる第１データが前記印刷データに含まれているかを判定し、
所定の吐出量の前記ブラックインクを前記記録媒体へ向けて前記不良ノズルから吐出させるデータが、前記第１データとして前記印刷データに含まれていると判定された場合、前記不良ノズルに対応する記録媒体上の吐出領域へ向けて、前記シアンインク、前記マゼンタインク、および前記イエローインクの各々について、前記所定の吐出量より少ない吐出量を少なくとも１回、前記ヘッドに吐出させる、請求項９に記載の印刷装置。
【手続補正２】
【補正対象書類名】明細書
【補正対象項目名】発明の名称
【補正方法】変更
【補正の内容】
【発明の名称】印刷装置の制御方法、および印刷装置
【手続補正書】
【提出日】平成25年2月14日(2013.2.14)
【手続補正１】
【補正対象書類名】特許請求の範囲
【補正対象項目名】請求項３
【補正方法】変更
【補正の内容】
【請求項３】
請求項１又は２において、
前記光学式読取装置として、色情報の取得が可能なカラー画像読取装置が用いられ、
前記評価値の算出に際して、前記参照パッチの取込画像と前記計測パッチの取込画像の差異を示す値として、前記参照パッチの取込画像と前記計測パッチの取込画像との色の差が計算されることを特徴とする不良記録素子補償パラメータ決定方法。
【手続補正２】
【補正対象書類名】特許請求の範囲
【補正対象項目名】請求項８
【補正方法】変更
【補正の内容】
【請求項８】
請求項６又は７において、
前記光学式読取手段として、色情報の取得が可能なカラー画像読取手段が用いられ、
前記評価値の算出に際して、前記参照パッチの取込画像と前記計測パッチの取込画像の差異を示す値として、前記参照パッチの取込画像と前記計測パッチの取込画像との色の差を計算する色差演算手段を備えることを特徴とする画像形成装置。
【手続補正３】
【補正対象書類名】明細書
【補正対象項目名】００２６
【補正方法】変更
【補正の内容】
【００２６】
（発明３）：発明３に係る不良記録素子補償パラメータ決定方法は、発明１又は２において、前記光学式読取装置として、色情報の取得が可能なカラー画像読取装置が用いられ、前記評価値の算出に際して、前記参照パッチの取込画像と前記計測パッチの取込画像の差異を示す値として、前記参照パッチの取込画像と前記計測パッチの取込画像との色の差が計算されることを特徴とする。
【手続補正４】
【補正対象書類名】明細書
【補正対象項目名】００３５
【補正方法】変更
【補正の内容】
【００３５】
（発明８）：発明８に係る画像形成装置は、発明６又は７において、前記光学式読取手段として、色情報の取得が可能なカラー画像読取手段が用いられ、前記評価値の算出に際して、前記参照パッチの取込画像と前記計測パッチの取込画像の差異を示す値として、前記参照パッチの取込画像と前記計測パッチの取込画像との色の差を計算する色差演算手段を備えることを特徴とする。